(57)【要約】【課題】ストレーナを設置するための手間を軽減し、且つ異物の捕捉量が増加しても冷媒流の阻害を抑制する。【解決手段】空気調和機は、圧縮機、四方弁及び室外熱交換器を備える室外機と、室内熱交換器を備える室内機と、前記室外機と前記室内機を接続する液冷媒配管及びガス冷媒配管を備える。前記室外機は、圧縮機と四方弁とを接続している圧縮機吸入側の冷媒配管または圧縮機吐出側の冷媒配管の少なくとも何れか一方に設置されたストレーナを備える。前記ストレーナは、筐体と、この筐体内に設けられ筐体内を上流側と下流側に仕切る隔壁と、この隔壁に形成された第１開口及び第２開口とを有し、前記第１開口は冷媒配管から筐体内に流入する主流が流れる位置に設けられると共に、前記第２開口は主流から離れた位置に形成される。前記第１開口の部分には主流に混入する固形異物を捕捉するためのフィルタが設けられている。【選択図】図２
2018141605.tif 000002
【特許請求の範囲】
【請求項１】
圧縮機、四方弁及び室外熱交換器を備える室外機と、室内熱交換器を備える室内機と、前記室外機と前記室内機を接続する液冷媒配管及びガス冷媒配管を備える空気調和機において、
前記室外機は、前記圧縮機と前記四方弁とを接続している圧縮機吸入側の冷媒配管または圧縮機吐出側の冷媒配管の少なくとも何れか一方に設置されたストレーナを備え、
前記ストレーナは、筐体と、この筐体内に設けられ筐体内を上流側と下流側に仕切る隔壁と、この隔壁に形成された第１開口及び第２開口とを有し、
前記第１開口は前記冷媒配管から前記筐体内に流入する主流が流れる位置に設けられると共に、前記第２開口は前記主流から離れた位置に形成され、
前記第１開口の部分には前記主流に混入する固形異物を捕捉するためのフィルタが設けられていることを特徴とする空気調和機。
【請求項２】
請求項１に記載の空気調和機において、
前記第１開口は前記隔壁の中央側に形成され、前記第２開口は前記第１開口の周囲に形成されると共に前記第１開口よりも小さい開口であることを特徴とする空気調和機。
【請求項３】
請求項２に記載の空気調和機において、
前記第１開口を貫通するように前記冷媒配管が挿入されて前記筐体内に開口し、この冷媒配管の開口側と外周側を被うように前記フィルタが設けられ、前記冷媒配管の前記開口から流出した主流は前記フィルタを通過して流れると共に、主流に混入されている固形異物は前記フィルタに捕捉され、フィルタに捕捉される固形異物の量が増加するにつれ、主流の一部が前記第２開口を通過して下流側に流れるように構成されていることを特徴とする空気調和機。
【請求項４】
請求項３に記載の空気調和機において、
前記筐体内の前記第２開口の下流側に、前記第２開口を通過する流れに混入する固形異物を捕捉するための第２のフィルタを設けたことを特徴とする空気調和機。
【請求項５】
請求項４に記載の空気調和機において、
前記第２フィルタは、前記第２開口に対向する位置に設けられていることを特徴とする空気調和機。
【請求項６】
請求項５に記載の空気調和機において、
前記第２のフィルタは、前記筐体内の出口側に設けられると共に、その中央が開口部で、この開口部の外周側にフィルタ部を有するリング状に構成され、前記フィルタ部は、前記第２開口に対向する位置に配置されると共に、下流側が閉じた環状の凹溝形状に構成されていることを特徴とする空気調和機。
【請求項７】
請求項１〜６の何れか一項に記載の空気調和機において、
前記筐体は円筒状であり、前記フィルタは下流側が閉じた円筒状に構成されていることを特徴とする空気調和機。
【請求項８】
請求項１に記載の空気調和機において、
前記ストレーナの筐体は円弧状部を有し、冷媒配管から流入する冷媒の主流は前記円弧状部の外周側を流れるように構成すると共に、前記円弧状部の出口側に前記隔壁を設け、
前記第１開口は主流が流れる前記隔壁の外周側に形成され、前記第２開口は前記第１開口よりも小さい開口で且つ前記隔壁の内周側に形成され、
前記第１開口の部分には前記主流に混入する固形異物を捕捉するためのフィルタが設けられ、このフィルタは下流側が閉じた凹形状に構成されていることを特徴とする空気調和機。
【請求項９】
請求項１〜６、８の何れか一項に記載の空気調和機において、前記ストレーナは、入口が上側で、出口が下側となるように設置され、前記フィルタの入口側が上を向くように配置されていることを特徴とする空気調和機。
【請求項１０】
請求項１〜６、８の何れか一項に記載の空気調和機において、前記ストレーナは、前記圧縮機と前記四方弁とを接続している圧縮機吸入側の冷媒配管に設置されていることを特徴とする空気調和機。
【発明の詳細な説明】
【技術分野】
【０００１】
本発明は、空気調和機に係り、特に既設冷媒配管を再利用する場合に好適な空気調和機に関する。
【背景技術】
【０００２】
空気調和機の寿命などにより、或いは環境問題への対応などにより、従来の空気調和機（以下、旧機という）から、例えばＨＦＣ系の冷媒を使用する新しい空気調和機（以下、新機という）へ交換する際、旧機の室外機と室内機を接続していた既設の冷媒配管を再利用することが行われている。
【０００３】
ここで、既設配管内には、旧機に搭載された圧縮機の摺動部の磨耗によって生じた多量の磨耗粉起因の固形異物（鉄粉など）が残留している。このような固形異物に対して何も対策を施さず既設冷媒配管を再利用すると、既設冷媒配管に残留している固形異物が新機に搭載されている圧縮機に侵入して圧縮機の摺動部の磨耗を促進し、空気調和機の信頼性を著しく損なう恐れがある。
【０００４】
そこで、特開２０１２−１７９７４公報（特許文献１）のものには、空気調和機の信頼性を損なうことなく、既設冷媒配管を有効に再利用するため、次の構成を提案している。
【０００５】
即ち、空気調和機を、圧縮機、四方弁及び室外熱交換器を備えた室外機と、室内膨張弁及び室内熱交換器を備えた室内機と、これらを接続する液冷媒配管及びガス冷媒配管で構成し、室外機と液冷媒配管及びガス冷媒配管とのそれぞれの接続口に、冷媒と共に冷凍サイクルを循環する固形異物を捕捉するストレーナを設ける。また、前記圧縮機の軸受の最小隙間は、通常１〜２０μｍであることから、前記ストレーナを前記最小隙間以上の大きさの固形異物を捕捉できる構成にすることが記載されている。
【先行技術文献】
【特許文献】
【０００６】
【特許文献１】特開２０１２−１７９７４公報
【発明の概要】
【発明が解決しようとする課題】
【０００７】
しかし、上記特許文献１に記載のものでは、旧機の室外機と室内機を接続していた既設の冷媒配管を再利用して新しい空気調和機（新機）に交換する際に、室外機と液冷媒配管及びガス冷媒配管とのそれぞれの接続口に、ストレーナを新たに設置する必要があり、それぞれの接続口にストレーナを設置するための手間が発生するという課題がある。
【０００８】
即ち、空気調和機は冷房運転と暖房運転で冷媒循環の向きが逆転するため、液冷媒配管又はガス冷媒配管の何れかにのみストレーナを設置しただけでは、一旦ストレーナに捕捉された固形異物は、冷媒が逆流するとフィルタから離脱して圧縮機内に侵入する恐れがある。このため、特許文献１のものでは、室外機と液冷媒配管及びガス冷媒配管とのそれぞれの接続口にストレーナを設置している。
【０００９】
また、上記特許文献１に記載のように、ストレーナを設置した場合、ストレーナに捕捉される異物が多くなると冷媒流が阻害されて流通抵抗が増大するため、空気調和機の性能を大幅に低下させてしまうという課題もある。
【００１０】
本発明の目的は、ストレーナを設置するための手間を軽減し、且つ異物の捕捉量が増加しても冷媒流の阻害を抑制することのできる空気調和機を得ることにある。
【課題を解決するための手段】
【００１１】
上記目的を達成するため、本発明は、圧縮機、四方弁及び室外熱交換器を備える室外機と、室内熱交換器を備える室内機と、前記室外機と前記室内機を接続する液冷媒配管及びガス冷媒配管を備える空気調和機において、前記室外機は、前記圧縮機と前記四方弁とを接続している圧縮機吸入側の冷媒配管または圧縮機吐出側の冷媒配管の少なくとも何れか一方に設置されたストレーナを備え、前記ストレーナは、筐体と、この筐体内に設けられ筐体内を上流側と下流側に仕切る隔壁と、この隔壁に形成された第１開口及び第２開口とを有し、前記第１開口は前記冷媒配管から前記筐体内に流入する主流が流れる位置に設けられると共に、前記第２開口は前記主流から離れた位置に形成され、前記第１開口の部分には前記主流に混入する固形異物を捕捉するためのフィルタが設けられていることを特徴とする。
【発明の効果】
【００１２】
本発明によれば、ストレーナを設置するための手間を軽減し、且つ異物の捕捉量が増加しても冷媒流の阻害を抑制することのできる空気調和機を得ることができる効果がある。
【図面の簡単な説明】
【００１３】
【図１】本発明の空気調和機の実施例１を示す冷凍サイクル構成図である。
【図２】図１に示すストレーナの構成を示す縦断面図である。
【図３】本発明の空気調和機の実施例２におけるストレーナの構成を示す縦断面図である。
【図４】本発明の空気調和機の実施例３におけるストレーナの構成を示す縦断面図である。
【発明を実施するための形態】
【００１４】
以下、本発明の空気調和機の実施例を、図面を用いて詳細に説明する。なお、各図において、同一符号を付した部分は同一或いは相当する部分を示している。
【実施例１】
【００１５】
本発明の空気調和機の実施例１を、図１及び図２を用いて説明する。図１は本実施例１を示す冷凍サイクル構成図、図２は図１に示すストレーナの構成を示す縦断面図である。
【００１６】
まず、本実施例１の空気調和機の全体構成を図１により説明する。図１に示すように、空気調和機１は、室外機２及び室内機３と、これらを接続する液冷媒配管４及びガス冷媒配管５等により構成されている。
【００１７】
前記室外機２は、圧縮機７、四方弁８、室外熱交換器９及び室外膨張弁１０が順次冷媒配管６を介して接続されている。また、前記室外機２における前記液冷媒配管４と接続される側には液阻止弁１２ａが設けられ、前記ガス冷媒配管５と接続される側にはガス阻止弁１２ｂが設けられている。
【００１８】
前記圧縮機７の吸込口側と吐出口側は、それぞれ前記四方弁８を介して、前記室外熱交換器９側または前記ガス阻止弁１２ｂ側に切替え接続可能に構成されている。  
また、前記室外熱交換器９における前記四方弁８と接続される側とは反対側は、前記室外膨張弁１０を介して前記液阻止弁１２ａに接続されている。  
更に、本実施例では、前記圧縮機７と前記四方弁８とを接続している圧縮機の吸入側の冷媒配管６にはストレーナ１１が設けられている。
【００１９】
前記室内機３は、室内熱交換器１３及び室内膨張弁１４などで構成されている。前記室内熱交換器１３は前記ガス冷媒配管５に接続され、前記室内膨張弁１４は前記液冷媒配管４に接続されている。  
なお、図１において、実線の矢印は冷房運転時の冷媒の流れを、破線の矢印は暖房運転時の冷媒の流れを示している。
【００２０】
上述した特許文献１のものでは、既設冷媒配管を再利用する場合、既設冷媒配管に残留しいている固形異物（鉄粉など）を捕捉するために、室外機と液冷媒配管及びガス冷媒配管とのそれぞれの接続口にストレーナを設けることが記載されている。しかし、この特許文献１のものでは、それぞれの接続口にストレーナを設置する必要がある上に、前記ストレーナに捕捉された異物が多くなると、冷媒流が阻害されて空気調和機の性能を大幅に低下させてしまう課題がある。
【００２１】
そこで、本実施例では、上記課題を解決するために、前記圧縮機７の吸入側の冷媒配管６、即ち前記圧縮機７の吸入側と前記四方弁８との間にストレーナ１１を設けるようにし、且つ前記ストレーナ１１を図２に示す構成にしたものである。以下、図２に示すストレーナ１１の構成を詳細に説明する。
【００２２】
図２に示すように、本実施例１におけるストレーナ１１は、円筒状で内部が冷媒配管６よりも拡大している拡大部を有する筐体１１ａと、前記筐体１１ａの拡大部内の上流側に設けられ、前記筐体１１ａ内を上流側と下流側に仕切るリング状の隔壁（平板）１１ｂを備えている。前記隔壁１１ｂの中心部には径の大きい第１開口１５が形成され、また前記第１開口１５の周囲には前記第１開口よりも径の小さい少なくとも１つ以上の第２開口１６が形成されている。
【００２３】
前記隔壁１１ｂの前記第１開口１５には異物を捕捉する機能を持つフィルタ（異物捕捉手段）１１ｃが設けられている。このフィルタ１１ｃは、前記第１開口１５の部分から下流側に延びて閉じる円筒状且つ凹形状に構成され、この凹形状のフィルタ１１ｃ内には、前記ストレーナ１１の入口１１ｄ（前記筐体１１ａの入口側）から挿入されて前記隔壁１１ｂの第１開口１５を貫通し、下流側に延びて前記フィルタ１１ｃ内で開口する冷媒配管６の先端部６ａが配置された構成としている。即ち、前記第１開口１５を貫通するように前記冷媒配管６が挿入されて前記筐体１１ａ内に開口し、この冷媒配管６の開口側と外周側を被うように前記フィルタ１１ｃが設けられ、前記冷媒配管６の先端部６ａは前記フィルタ１１ｃの上流側に開口された構成となっている。
【００２４】
前記フィルタ１１ｃは、少なくとも前記圧縮機７における軸受隙間よりも大きい異物を除去できる網目のものを使用する。即ち、圧縮機７の軸受の最小隙間は、一般に１〜２０μｍであるので、その最小隙間以上の固形異物を前記フィルタ１１ｃで捕捉できるように、前記フィルタ１１ｃの網目を選定する。  
なお、１１ｅは前記ストレーナ１１の出口（前記筐体１１ａの出口側）であり、この出口１１ｅには前記圧縮機７の吸入側の冷媒配管６が接続されている。
【００２５】
前記圧縮機７の吸入側の冷媒配管６に上述した図２に示す構成の前記ストレーナ１１を配設することにより、このストレーナ１１は以下のように作用する。  
前記冷媒配管６から前記ストレーナ１１に流入した冷媒は、図２に示すように、前記冷媒配管６の先端部６ａから流出して、その主流が実線矢印で示すように前記フィルタ１１ｃを通過した後、前記ストレーナ１１の出口１１ｅから冷媒配管６を介して前記圧縮機７に入る。このように、冷媒の主流が流れる位置に前記第１開口１５が設けられ、この第１開口１５に取付けた前記フィルタ１１ｃを冷媒の主流が通過するため、冷媒中に含まれる異物を前記フィルタ１１ｃにより捕捉することができる。なお、前記第２開口１６は前記第１開口１５の周囲、即ち、前記主流から離れた位置に形成されているので、フィルタ１１ｃが目詰まりするまでは、冷媒は第２開口を通ってほとんど流れない。
【００２６】
しかし、空気調和機１を長時間運転すると、前記フィルタ１１ｃへの異物の堆積量が次第に増加し、やがてフィルタ１１ｃが目詰まりを起こし、冷媒流が阻害されて、空気調和機１の性能を大幅に低下させてしまう恐れがある。
【００２７】
これに対し、本実施例１におけるストレーナ１１は、前記第２開口１６が形成されているので、以下のように作用する。即ち、前記フィルタ１１ｃへの異物堆積量が増加してフィルタ１１ｃの流通抵抗が増大すると、これにつれて、前記冷媒配管６の先端部６ａから流出した冷媒は、冷媒配管６の先端部６ａ外周面と前記フィルタ１１ｃとの間を通り、前記第２開口１６の上流側に流れる。従って、前記第２開口１６を通過する量が次第に増加していく。前記第２開口１６を通過した冷媒はストレーナ１１の出口１１ｅから冷媒配管６に流れて前記圧縮機７に入る。
【００２８】
このように、本実施例においては、フィルタ１１ｃの目詰まりが増加しても、冷媒を、前記第２開口１６を通して圧縮機７側に流すことができ、ストレーナ１１を通過する流通抵抗が増加するのを抑制できるので、空気調和機１の性能低下を抑制することができる。
【００２９】
なお、前記第２開口１６にはフィルタを設けていないが、前記フィルタ１１ｃの目詰まりが増加するまでは前記第２開口１６を流れる冷媒量は僅かであり、前記フィルタ１１ｃの目詰まりが増加するほど冷媒中に含まれる異物の量も減少していくので、前記第２開口１６を流れる異物の量は少ない。また、異物を含む冷媒が前記第２開口１６を通過しても、異物を含む冷媒が冷凍サイクルを循環している間に、冷媒中に残留する異物を前記フィルタ１１ｃで捕捉することができる。
【００３０】
このように、本実施例においては、室外機２内の圧縮機１の吸入側と四方弁８との間の冷媒配管６に前記ストレーナ１１を設けているので、新しい空気調和機に交換する際に、旧機の室外機と室内機を接続していた既設の冷媒配管を有効に再利用することができる。また、前記ストレーナ１１内に設けられているフィルタ１１ｃの目詰まりが増加しても、ストレーナ１１内の冷媒流が阻害されるのを防止できるから、フィルタ１１ｃの目詰まりによる空気調和機１の性能低下を抑制できる効果が得られる。
【００３１】
更に、前記冷媒配管６の先端部開口が前記平板１１ｂよりも下流側（ストレーナ１１の出口側）に配置されているため、前記圧縮機７に悪影響を及ぼすような大きな異物ほど前記フィルタ１１ｃに捕捉され、大きな異物ほど冷媒配管の先端部６ａ外周面とフィルタ１１ｃとの間を通って入口１１ｄ側（第２開口１６の上流側）には流れ難い構造となっているから、異物を効果的に捕捉できる。
【００３２】
また、本実施例では、図１に示すように、圧縮機１の吸入側と四方弁８との間の冷媒配管６に前記ストレーナ１１を設けているので、空気調和機１の冷房運転及び暖房運転に関わらず、冷媒の流通方向は、常に圧縮機１の吸入側に向かう一方向となるから、ストレーナ１１を一つのみ設ければ良い。従って、特許文献１に記載された従来例のように、複数のストレーナを設ける必要がないから安価に製作でき、ストレーナを設置するための手間も軽減できる。
【００３３】
なお、本実施例の構成とすることにより、予め室外機２の内部に上記構成のストレーナ１１設けておくことが可能となり、室外機２にストレーナ１１を予め備える構成とすることにより、旧機の室外機２と室内機３を接続していた既設の冷媒配管４，５を再利用して新しい空気調和機（新機）に交換する際に、ストレーナを新たに設置する必要がなくなるから、作業負担を低減することも可能となる。
【００３４】
前記ストレーナ１１は、前記室外機２内に、ストレーナ１１の入口１１ｄが上側で、出口１１ｅが下側となるように設置する構成にすると良い。このような構成とすることにより、フィルタ１１ｃの入口側が上を向くように配置されるので、空気調和機１の運転停止時に、捕捉した異物が前記ストレーナ１１の前記フィルタ１１ｃからこぼれ落ちてしまうのを防止することが可能となる。
【００３５】
また、上述した実施例１では、前記ストレーナ１１を、前記圧縮機７と前記四方弁８とを接続している圧縮機吸入側の冷媒配管６に設置するようにしたが、前記ストレーナ１１を圧縮機吐出側の冷媒配管６に設置するようにしても同様の効果を奏することができる。
【実施例２】
【００３６】
本発明の空気調和機の実施例２を、図３を用いて説明する。図３は本発明の空気調和機の実施例２におけるストレーナの構成を示す縦断面図である。図３において、図１、図２と同一符号を付した部分は同一或いは相当する部分を示しており、本実施例２の説明においては、上記実施例１と異なる部分を中心に説明する。
【００３７】
上述した実施例１のストレーナ１１の場合、第２開口１６の下流側にはフィルタが設けられていないため、冷媒中に含まれる異物の量が多い場合、異物の一部が第２開口１６を通過して、そのままストレーナ１１から流出してしまう恐れがある。ストレーナ１１の筐体１１ａの拡大部を更に広げ、前記フィルタ１１ｃの外径を大きくすれば、ストレーナ１１から流出する異物の量を低減することは可能であるが、筐体を大きくすることは好ましくない。
【００３８】
そこで、本実施例２では、図３に示すように、筐体１１ａ内の第２開口１６の下流側に、前記第２開口１６を通過する流れに混入する固形異物を捕捉するための第２のフィルタ１１ｆを設ける構成としたものである。本実施例２では、前記第２フィルタ１１ｆは前記第２開口１６に対向する位置に設けられている。
【００３９】
即ち、前記第２のフィルタ１１ｆは、前記筐体１１ａ内の出口側に設けられると共に、その中央が開口部１７で、この開口部１７の外周側にフィルタ部１８を有するリング状に構成され、前記フィルタ部１８は、前記第２開口１６に対向する位置に配置されると共に、下流側が閉じた環状の凹溝形状に構成されている。他の構成は上述した実施例１と同様である。
【００４０】
本実施例２は上述した構成としているので、フィルタ（第１のフィルタ）１１ｃへの異物堆積量が増加してフィルタ１１ｃの流通抵抗が増大すると、これにつれて、冷媒配管６の先端部６ａから流出した冷媒は、冷媒配管６の先端部６ａ外周面と前記フィルタ１１ｃとの間を通り、第２開口１６の上流側に流れ、前記第２開口１６を通過する量が次第に増加していく。本実施例２では、前記第２開口１６に対向する位置に第２のフィルタ１１ｆが設けられているので、異物を含む冷媒が前記第２開口１６を通過すると、その多くは前記第２のフィルタ１１ｆを通過するので、冷媒中に残留する異物をこの第２のフィルタ１１ｆで捕捉することができる。
【００４１】
前記第２のフィルタ１１ｆ或いは前記開口部１７を通過した冷媒はストレーナ１１の出口１１ｅから冷媒配管６に流れて前記圧縮機７に入る。  
このように、本実施例２においては、上記実施例１と同様に、フィルタ１１ｃの目詰まりが増加しても、冷媒を、前記第２開口１６を通し、且つ前記第２のフィルタ１１ｆで冷媒中の異物を捕捉して圧縮機７側に流すことができるので、ストレーナ１１を通過する流通抵抗が増加するのを抑えて、空気調和機１の性能が低下するのを抑制できる。
【００４２】
更に、本実施例２によれば、第２のフィルタ１１ｆを備えているので、冷媒中の異物捕捉効果を更に向上することができる。また、前記第２のフィルタ１１ｆは、その中央が開口部１７に構成されているので、この第２のフィルタ１１ｆが目詰まりしても冷媒の流れが確保され、流通抵抗の増加を抑制できる。このように、本実施例２によれば、前記ストレーナ１１の筐体１１ａを大きくすることなく、冷媒中の異物の捕捉能力を更に向上することができる。
【実施例３】
【００４３】
本発明の空気調和機の実施例３を、図４を用いて説明する。図４は本発明の空気調和機の実施例３におけるストレーナの構成を示す縦断面図である。図４において、図１、図２と同一符号を付した部分は同一或いは相当する部分を示しており、本実施例２の説明においても、上記実施例１と異なる部分を中心に説明する。
【００４４】
上述した実施例１及び実施例２では、ストレーナ１１の筐体１１ａを直線の円筒状に構成し、第１開口１５を隔壁１１ｂの中央側に形成すると共に、第２開口１６を前記第１開口１５の周囲に形成する構成とした例を説明したが、本発明はこのような形状に限定されるものではなく、図４に示すような構成にすることもできる。
【００４５】
図４に、本実施例３におけるストレーナ２０の形状を示す。本実施例３におけるストレーナ２０は、筐体２０ａが円筒状で中心部が拡大した拡大部を有する点では、上述した実施例１、２と同様であるが、本実施例３においては、前記ストレーナ２０の筐体２０ａは、前記拡大部に円弧状部（曲げ部）２０ａａを有する構成としており、冷媒配管６から流入する冷媒の主流は前記円弧状部２０ａａの外周側（曲げ部の外側）を流れるように構成されている。
【００４６】
また、前記円弧状部２０ａａの出口側にリング状の隔壁（平板）２０ｂを設け、この隔壁２０ｂの外周側の主流が流れる部分には径の大きな第１開口２１が形成され、更に、前記隔壁２０ｂの内周側（曲げ部の内側）には前記第１開口２１よりも径の小さい第２開口２２が形成されている。前記第１開口２１の部分には前記主流に混入する固形異物を捕捉するためのフィルタ２０ｃが設けられ、このフィルタ２０ｃは下流側が閉じた凹形状に構成されている。  
他の構成は上述した実施例１と同様である。なお、前記第１開口２１及び前記第２開口２２は１つに限らず、複数設けるようにしても良い。
【００４７】
本実施例３は以上の構成としているので、ストレーナ２０に流入した冷媒は前記円弧状部２０ａａを流れるときに偏流し、冷媒の主流は外周側を流れる。そのため、冷媒の主流は前記第１開口２１に流入して前記フィルタ２０ｃを通過するので、冷媒中の異物をフィルタ２０ｃにより捕捉することができる。
【００４８】
前記フィルタ２０ｃへの異物堆積量が増加してフィルタ２０ｃが目詰まりし、流通抵抗が増大していくと、これに伴い前記第２開口２２を通過して流れる冷媒量が増加するため、ストレーナ２０を設けても冷媒流を阻害せず、空気調和機の性能が低下するのを抑制することができる。  
従って、ストレーナを本実施例３のように構成しても、上記実施例１と同様の効果を得ることができる。
【００４９】
なお、本発明は上述した実施例に限定されるものではなく、様々な変形例が含まれる。例えば、上記実施例では、ストレーナを、圧縮機と四方弁とを接続している圧縮機吸入側の冷媒配管に設置する例を説明したが、前記ストレーナは、前記圧縮機と前記四方弁とを接続している圧縮機吸入側の冷媒配管または圧縮機吐出側の冷媒配管の少なくとも何れか一方に設置するようにすれば良い。
【００５０】
また、上記した実施例は本発明を分かりやすく説明するために詳細に説明したものであり、必ずしも説明した全ての構成を備えるものに限定されるものではない。
【符号の説明】
【００５１】
１：空気調和機、２：室外機、３：室内機、４：液冷媒配管、５：ガス冷媒配管、
６：冷媒配管、７：圧縮機、８：四方弁、９：室外熱交換器、１０：室外膨張弁、
１１：ストレーナ、１１ａ：筐体、１１ｂ：隔壁（平板）、１１ｃ：フィルタ、
１１ｄ：入口、１１ｅ：出口、１１ｆ：第２のフィルタ、
１２ａ：液阻止弁、１２ｂ：ガス阻止弁、
１３：室内熱交換器、１４：室内膨張弁、
１５：第１開口、１６：第２開口、１７：開口部、１８：フィルタ部、
２０：ストレーナ、２０ａ：筐体、２０ａａ：円弧状部、
２０ｂ：隔壁（平板）、２０ｃ：フィルタ、２０ｄ：入口、２０ｅ：出口、
２１：第１開口、２２：第２開口。
【図１】
2018141605.tif 000003
【図２】
2018141605.tif 000004
【図３】
2018141605.tif 000005
【図４】
2018141605.tif 000006